(57)【要約】【課題】電流センサを省スペースで配置することが可能なバッテリーターミナル、及びターミナル下部カバーを提供する。【解決手段】バッテリーターミナル本体４の下部をターミナル下部カバーで覆うと電流センサの組み付けも自然と完了する。ターミナル下部カバーは電流センサを一体化してなる電流センサ一体型ターミナル下部カバー５であることから、電流センサ単体の組み付け作業をする必要はない。バッテリーターミナル１は、電流センサ一体型ターミナル下部カバー５を用いてバッテリーターミナル本体４の下部を覆う構成であり、このようなバッテリーターミナル１はバッテリーポスト３に接続されると、バッテリーポスト３を囲むように電流センサが配置される。電流センサ一体型ターミナル下部カバー５のカバー側係止部２８と、バッテリーターミナル本体４のターミナル本体側係止部１７は、互いに引っ掛かり合うと係止状態が形成される。【選択図】図１
2010015842.tif 000002
【特許請求の範囲】
【請求項１】
バッテリーのバッテリーポストに接続されるバッテリーターミナル本体と、該バッテリーターミナル本体及び前記バッテリー間に配置され前記バッテリーターミナル本体の下部を覆うターミナル下部カバーとを備え、該ターミナル下部カバーには前記バッテリーポストに対する挿入穴が貫通形成されるバッテリーターミナルにおいて、
前記ターミナル下部カバーは、前記挿入穴を囲むような配置で電流センサを一体化してなる電流センサ一体型ターミナル下部カバーであり、且つ、該電流センサ一体型ターミナル下部カバー及び前記バッテリーターミナル本体は、互いに引っ掛かり合って係止状態が形成されるカバー側係止部及びターミナル本体側係止部を有する
ことを特徴とするバッテリーターミナル。
【請求項２】
請求項１に記載のバッテリーターミナルにおいて、
前記電流センサ一体型ターミナル下部カバーは、前記挿入穴が形成され前記バッテリーに対向又は接触するバッテリー側下面と、前記挿入穴が形成され前記バッテリーターミナル本体に対向又は接触するターミナル本体側上面と、これら二つの面の間となるカバー内部に配置されるセンサ保持部と、該センサ保持部に保持される前記電流センサのセンサ本体と、該センサ本体に接続されてカバー外部に配置される前記電流センサのコネクタ部とを更に有し、前記ターミナル本体側上面又はカバー側面には、前記カバー側係止部が一体に形成される
ことを特徴とするバッテリーターミナル。
【請求項３】
請求項１又は請求項２に記載のバッテリーターミナルにおいて、
前記電流センサ一体型ターミナル下部カバーは、弾性を有し前記バッテリーターミナル本体の曲面部分に引っ掛かるフック部を更に有する
ことを特徴とするバッテリーターミナル。
【請求項４】
請求項１ないし請求項３いずれか記載のバッテリーターミナルにおいて、
前記電流センサ一体型ターミナル下部カバーは、前記バッテリーの側面に当接して前記バッテリーポストを中心とする回動方向の移動を規制する回り止め部を更に有する
ことを特徴とするバッテリーターミナル。
【請求項５】
バッテリーのバッテリーポストに対する挿入穴を有し、前記バッテリーと、前記バッテリーポストに接続されるバッテリーターミナル本体との間に配置されて、該バッテリーターミナル本体の下部を覆うターミナル下部カバーにおいて、
前記挿入穴を囲むような配置で電流センサを一体化してなり、且つ、前記バッテリーターミナル本体に対して引っ掛かると係止状態が形成されるカバー側係止部を有する
ことを特徴とするターミナル下部カバー。
【発明の詳細な説明】
【技術分野】
【０００１】
本発明は、電流センサと、バッテリーターミナル本体の下部を覆うターミナル下部カバーとを有するバッテリーターミナル、及び、ターミナル下部カバーに関する。
【背景技術】
【０００２】
近年、自動車の高機能化に伴い電装品が増加している。電装品の増加は、車載バッテリーの消耗を激しくするということが知られている。
【０００３】
従来、バッテリーのバッテリーポストに接続されるバッテリーターミナル本体、又はこのバッテリーターミナル本体に接続されるケーブル端末の端子には、電流センサが設けられている（例えば下記特許文献１参照）。電流センサは、バッテリーの残存容量を監視するために設けられている。
【０００４】
ところで、本願出願人は、バッテリーターミナル本体の下部を覆うターミナル下部カバーに関して、下記特許文献２などに開示されるような提案を行っている。下記特許文献２に開示されるターミナル下部カバーは、バッテリーターミナル本体の腐食を防止するための合成樹脂製の防食カバーとして提案されている。
【特許文献１】特開２００６−４０７９６号公報
【特許文献２】特開２００５−９３３９３号公報
【発明の開示】
【発明が解決しようとする課題】
【０００５】
バッテリーの残存容量を監視するための電流センサの配置に関し、従来技術にあっては次のような問題点を有している。すなわち、近年のエンジンルーム内は密集した状況にあり、バッテリーをエンジンルームの上方からみた場合（平面視した場合）に、この外側に電流センサの配置スペースを確保することは非常に困難であって、これが問題点になっている。仮に電流センサの配置スペースを確保することができても、作業者にとって組み付けが容易でないのは言うまでもない。
【０００６】
本発明は、上記した事情に鑑みてなされたもので、電流センサを省スペースで配置することが可能なバッテリーターミナル、及びターミナル下部カバーを提供することを課題とする。また、電流センサの組み付け性を向上させることが可能なバッテリーターミナル、及びターミナル下部カバーを提供することを課題とする。
【課題を解決するための手段】
【０００７】
上記課題を解決するためになされた請求項１記載の本発明のバッテリーターミナルは、バッテリーのバッテリーポストに接続されるバッテリーターミナル本体と、該バッテリーターミナル本体及び前記バッテリー間に配置され前記バッテリーターミナル本体の下部を覆うターミナル下部カバーとを備え、該ターミナル下部カバーには前記バッテリーポストに対する挿入穴が貫通形成されるバッテリーターミナルにおいて、前記ターミナル下部カバーは、前記挿入穴を囲むような配置で電流センサを一体化してなる電流センサ一体型ターミナル下部カバーであり、且つ、該電流センサ一体型ターミナル下部カバー及び前記バッテリーターミナル本体は、互いに引っ掛かり合って係止状態が形成されるカバー側係止部及びターミナル本体側係止部を有することを特徴としている。
【０００８】
請求項２記載の本発明のバッテリーターミナルは、請求項１に記載のバッテリーターミナルにおいて、前記電流センサ一体型ターミナル下部カバーは、前記挿入穴が形成され前記バッテリーに対向又は接触するバッテリー側下面と、前記挿入穴が形成され前記バッテリーターミナル本体に対向又は接触するターミナル本体側上面と、これら二つの面の間となるカバー内部に配置されるセンサ保持部と、該センサ保持部に保持される前記電流センサのセンサ本体と、該センサ本体に接続されてカバー外部に配置される前記電流センサのコネクタ部とを更に有し、前記ターミナル本体側上面又はカバー側面には、前記カバー側係止部が一体に形成されることを特徴としている。
【０００９】
請求項３記載の本発明のバッテリーターミナルは、請求項１又は請求項２に記載のバッテリーターミナルにおいて、前記電流センサ一体型ターミナル下部カバーは、弾性を有し前記バッテリーターミナル本体の曲面部分に引っ掛かるフック部を更に有することを特徴としている。
【００１０】
請求項４記載の本発明のバッテリーターミナルは、請求項１ないし請求項３いずれか記載のバッテリーターミナルにおいて、前記電流センサ一体型ターミナル下部カバーは、前記バッテリーの側面に当接して前記バッテリーポストを中心とする回動方向の移動を規制する回り止め部を更に有することを特徴としている。
【００１１】
上記課題を解決するためになされた請求項５記載の本発明のターミナル下部カバーは、バッテリーのバッテリーポストに対する挿入穴を有し、前記バッテリーと、前記バッテリーポストに接続されるバッテリーターミナル本体との間に配置されて、該バッテリーターミナル本体の下部を覆うターミナル下部カバーにおいて、前記挿入穴を囲むような配置で電流センサを一体化してなり、且つ、前記バッテリーターミナル本体に対して引っ掛かると係止状態が形成されるカバー側係止部を有することを特徴としている。
【００１２】
以上のような特徴を有する本発明によれば、バッテリーターミナル本体の下部をターミナル下部カバーで覆うと電流センサの組み付けも自然と完了する。すなわち、ターミナル下部カバーが電流センサを一体化してなるものであることから、電流センサ単体の組み付け作業をする必要はない。本発明によれば、電流センサを一体化してなるターミナル下部カバーを用いてバッテリーターミナル本体の下部を覆う構成のバッテリーターミナルであることから、このようなバッテリーターミナルはバッテリーポストに接続されると、バッテリーポストを囲むように電流センサが配置される。電流センサは、バッテリーポストの位置に配置される。電流センサは、ターミナル下部カバーへの一体化により、監視位置での位置決めが不要になる。
【００１３】
本発明によれば、カバー側係止部及びターミナル本体側係止部を有することから、バッテリーターミナル本体に対し電流センサ一体型ターミナル下部カバーを必要に応じて後付けすることが可能になる。これにより、電流センサ一体型ターミナル下部カバーをオプション対応にすることが可能になる。この他、例えば、部品メーカーで製造したバッテリーターミナル本体及び電流センサ一体型ターミナル下部カバーをカーメーカーまで別々に搬送し、この後にカーメーカーでアッセンブリすることも可能になる。
【００１４】
本発明によれば、カバー側係止部及びターミナル本体側係止部を有することから、これらを形状変更のない共通形状にすることで、バッテリーターミナル本体にバリエーションを持たせたり、電流センサ一体型ターミナル下部カバーにバリエーションを持たせたりすることが可能になる。
【発明の効果】
【００１５】
請求項１に記載された本発明によれば、電流センサを一体化してなるターミナル下部カバー、すなわち電流センサ一体型ターミナル下部カバーを用いることから、電流センサを省スペースで配置することができるという効果を奏する。また、本発明によれば、電流センサ一体型ターミナル下部カバーを用いることから、従来よりも格段に電流センサの組み付け性を向上させることができるという効果を奏する。また、本発明によれば、電流センサ一体型ターミナル下部カバーを後付けしたり、バッテリーターミナル本体や電流センサ一体型ターミナル下部カバーにバリエーションを持たせたりすることができるという効果を奏する。
【００１６】
請求項２〜４に記載された本発明によれば、電流センサ一体型ターミナル下部カバーのより良い形態の一例を提供することができるという効果を奏する。本発明によれば、電流センサの配置の省スペース化を図ることができるのは勿論のこと、作業性の向上を図ることができるという効果や、電流センサ一体型ターミナル下部カバーの組み付け状態の安定化を図ることができるという効果や、バッテリーに対する配置の安定化を図ることができるという効果を奏する。
【００１７】
請求項５に記載された本発明によれば、電流センサを省スペースで配置することができるという効果を奏する。また、本発明によれば、従来よりも格段に電流センサの組み付け性を向上させることができるという効果を奏する。また、本発明によれば、バッテリーターミナル本体に対して後付けすることができるという効果を奏する。本発明の電流センサ一体型ターミナル下部カバーは、上記効果を奏する有用な部品である。
【発明を実施するための最良の形態】
【００１８】
以下、図面を参照しながら説明する。図１は本発明のバッテリーターミナルの一実施の形態を示すバッテリー及びバッテリーターミナルの斜視図である。また、図２はバッテリーターミナルの分解斜視図である。
【００１９】
図１において、引用符号１は本発明のバッテリーターミナルを示している。バッテリーターミナル１は、特に限定するものではないが、自動車等の移動体に搭載されるバッテリー２のバッテリーポスト３に接続されるバッテリーターミナル本体４と、このバッテリーターミナル本体４の腐食を防止するための機能及びバッテリー２の残存容量を監視するための機能を有する電流センサ一体型ターミナル下部カバー５とを備えて構成されている。以下、各構成部材について詳細に説明する。
【００２０】
上記バッテリーポスト３は、先端の直径が基端の直径よりも小さいテーパ状の周側面を有している。本発明では、このような形状のバッテリーポスト３に対し上記バッテリーターミナル本体４が接続固定されるようになっている。
【００２１】
図２において、上記バッテリーターミナル本体４は、導電性を有する金属板をプレス加工することにより製造されている。本形態においては、Ｓｎメッキが施されている。バッテリーターミナル本体４は、一対の環状部６、７と、一対の締め付け部８、８と、一対の接合板９、１０（図４参照）からなるケーブル接続部１１とを有している。また、バッテリーターミナル本体４は、一対の接合板９、１０によって保持される端子固定ボルト１２（スタッドボルト）と、端子固定ボルト１２に螺合するナット１３とを有している。
【００２２】
さらに、バッテリーターミナル本体４は、締め付けボルト１４（横締めボルト）と、この締め付けボルト１４に螺合するナット１５と、締め付けボルト１４に挿通されるワッシャ１６とを有している。さらにまた、バッテリーターミナル本体４は、複数のターミナル本体側係止部１７を有している。
【００２３】
バッテリーターミナル本体４のケーブル接続部１１には、ケーブル４１の端末に設けられる接続端子４２が接続されるようになっている。
【００２４】
本明細書において、バッテリーポスト３（図１参照。以下同様）の軸方向を上下方向と定義し、また、バッテリーポスト３の先端を上、基端を下と定義するものとする。従って、環状部６が上、環状部７が下に配置されるものとする。また、同様に、接合板９が上、接合板１０が下に配置されるものとする。この他、上下方向を基準に左右方向や前後方向を決めるものとする。
【００２５】
環状部６の略中央には、バッテリーポスト３が挿入されるバッテリーポスト挿入穴１８が上下方向に貫通形成されている。バッテリーポスト挿入穴１８は、バッテリーポスト３の周側面に接触する部分として形成されている。バッテリーポスト挿入穴１８は、バッテリーポスト３の先端側の直径に合わせて環状に形成されている。バッテリーポスト挿入穴１８は、締め付け部８、８の間となる部分が分断された状態に形成されている。
【００２６】
環状部７の略中央には、バッテリーポスト３が挿入されるバッテリーポスト挿入穴１９が上下方向に貫通形成されている。バッテリーポスト挿入穴１９は、バッテリーポスト３の中間位置の直径に合わせて環状に形成されている。バッテリーポスト挿入穴１９は、環状部６のバッテリーポスト挿入穴１８と同様に形成されている。
【００２７】
締め付け部８、８は、環状部６、７を上下に配置するようにこれらを連結する部分であって、前後方向にＵ字状に湾曲するような形状に形成されている。締め付け部８、８は、バッテリーポスト挿入穴１８、１９の一部分断された部分に連続する締め付け間隙２０を有するように配置形成されている。締め付け部８、８は、左右方向に並ぶように配置形成されている。このような締め付け部８、８の内側には、ボルト挿通孔２１が形成されている。
【００２８】
ボルト挿通孔２１には、上記締め付けボルト１４が挿入されるようになっている。締め付けボルト１４は、先端に螺合するナット１５と共働して、締め付け間隙２０の両側に配置される締め付け部８、８を互いに近接する方向に締め付けるようになっている（締め付けが生じると、バッテリーポスト挿入穴１８、１９が縮径し、バッテリーポスト３への接続固定ができるようになる）。
【００２９】
ターミナル本体側係止部１７は、上記電流センサ一体型ターミナル下部カバー５の後述するカバー側係止部２８に引っ掛かり合うことにより係止状態が形成される部分であって、本形態においては、環状部７の左右両側部分と、接合板１０の左右両側部分とに配置されている（合計四つ。尚、数と配置は一例であるものとする）。ターミナル本体側係止部１７は、突起形状に形成されている（形状は一例であるものとする）。ターミナル本体側係止部１７は、後述するカバー側係止部２８と共に本発明のバッテリーターミナル１の特徴となる部分として形成されている。
【００３０】
図１及び図２において、上記電流センサ一体型ターミナル下部カバー５は、バッテリー２とバッテリーターミナル本体４との間に介在する部材であって、上記の如く、バッテリーターミナル本体４の腐食を防止するための機能（防食カバーとしての機能）と、バッテリー２の残存容量を監視するための機能（電流センサとしての機能）とを有している。
【００３１】
電流センサ一体型ターミナル下部カバー５は、本発明のバッテリーターミナル１の特徴となる構成部材であって、バッテリーターミナル本体４の下部を覆うターミナル下部カバーに電流センサを一体化させたものとして形成されている。
【００３２】
上記防食カバーとしての機能を有する部分は、バッテリー液に対しての耐食性を持たせるために合成樹脂材によって成形されている。本形態においては、安価な材料でもあることから、ＰＰ（ポリプロピレン）によって成形されている（この限りでないものとする）。一方、上記電流センサとしての機能を有する部分は、図示しないコア及びホール素子を備えるセンサ本体（図示省略）と、このセンサ本体を収容するセンサケースと、コネクタ部２２とを有している。上記センサケースは、防食カバーとしての機能を有する部分によって兼用されている。
【００３３】
図示しないセンサ本体は、バッテリーポスト３からバッテリーターミナル本体４に流れる電流の強弱に応じた磁束が上記コアに発生するとともに、この発生した磁束が上記ホール素子によって検出されるような構成になっている。ホール素子による検出結果は、コネクタ部２２を介してワイヤハーネス２３にて取り出せるようになっている。
【００３４】
防食カバーとしての機能を有する部分は、バッテリー２に対向する側の面となるバッテリー側下面２４と、バッテリーターミナル本体４の下部を受ける面となるターミナル本体側上面２５と、これら二つの面を貫通するように形成されるとともにバッテリーポスト３の挿通が可能となる挿入穴２６と、二つの面の間となるカバー内部に配置形成されてセンサ本体を保持するセンサ保持部（図示省略）と、二つの面の縁部を繋ぐように形成されるカバー側面２７とを有している。センサ本体を保持するセンサ保持部は、挿入穴２６を囲むように配置形成されている。電流センサ一体型ターミナル下部カバー５は、バッテリーターミナル本体４の平面視形状に合わせて形成されている。
【００３５】
ターミナル本体側上面２５には、複数のカバー側係止部２８が形成されている。カバー側係止部２８は、バッテリーターミナル本体４のターミナル本体側係止部１７の位置に合わせて配置形成されている。カバー側係止部２８は、本形態において、略枠状となる形状に形成されている。カバー側係止部２８の先端部分には、ターミナル本体側係止部１７をスムーズに案内するためのテーパ面が形成されている（符号省略）。
【００３６】
カバー側面２７には、コネクタ部２２が配置形成されている。コネクタ部２２は、ワイヤハーネス２３の引き出し方向等に配慮するように配置されている。
【００３７】
電流センサ一体型ターミナル下部カバー５は、バッテリーターミナル本体４を確実にバッテリーポスト３に接続固定することができる厚みを有するように形成されている（センサ本体を薄型にすることで実現する）。
【００３８】
次に、上記構成に基づき、電流センサ一体型ターミナル下部カバー５のバッテリーターミナル本体４に対する組み付けの一例（バッテリーターミナル１の組み付けの一例）を説明する。
【００３９】
バッテリーターミナル本体４の下方から電流センサ一体型ターミナル下部カバー５を上方へ移動させ（この逆も可）、電流センサ一体型ターミナル下部カバー５のカバー側係止部２８と、バッテリーターミナル本体４のターミナル本体側係止部１７とを引っ掛け合い係止状態を形成すると、バッテリーターミナル本体４の下部が電流センサ一体型ターミナル下部カバー５により覆われてバッテリーターミナル１の組み付けが完了する。電流センサ一体型ターミナル下部カバー５は、バッテリーターミナル本体４の下部に対して密着するような状態に組み付けられる。
【００４０】
続いて、バッテリーターミナル１のバッテリーポスト３に対する接続固定について説明する。
【００４１】
バッテリー２の位置でバッテリーターミナル１を下方向に移動させると、バッテリーターミナル本体４のバッテリーポスト挿入穴１８、１９がバッテリーポスト３の周側面に接触する。この時、電流センサ一体型ターミナル下部カバー５の挿入穴２６にバッテリーポスト３が挿通される。バッテリーターミナル１の向きを所定方向に合わせて配置した後、バッテリーターミナル１の横方向からインパクトレンチ等の図示しない工具を用いてナット１５を締め付けると、これによってバッテリーポスト挿入穴１８、１９が縮径方向に縮む。バッテリーポスト挿入穴１８、１９がバッテリーポスト３の周側面に対して圧接状態となると、バッテリーターミナル１の接続固定が完了する。
【００４２】
以上、図１及び図２を参照しながら説明してきたように、本発明のバッテリーターミナル１によれば、電流センサ単体の組み付けを行うことはない。何故ならば、本発明では、電流センサをターミナル下部カバーに一体化した電流センサ一体型ターミナル下部カバー５を構成に備えているからである。従って、バッテリー２を平面視した場合、この外側に電流センサの配置スペースを確保する必要はない。つまり、本発明によれば、電流センサを省スペースで配置することができるという効果を奏する。
【００４３】
この他、本発明のバッテリーターミナル１によれば、電流センサ一体型ターミナル下部カバー５を用いることから、従来よりも格段に電流センサの組み付け性を向上させることができるという効果を奏する。
【００４４】
また、本発明のバッテリーターミナル１によれば、カバー側係止部２８及びターミナル本体側係止部１７を有することから、電流センサ一体型ターミナル下部カバー５を後付けしたり、バッテリーターミナル本体４や電流センサ一体型ターミナル下部カバー５にバリエーションを持たせたりすることができるという効果を奏する。
【００４５】
また、本発明のバッテリーターミナル１は、バッテリーターミナル本体４から電流センサ一体型ターミナル下部カバー５を取り外すことで、比較的容易に解体することができるという効果を奏する。
【００４６】
ここで、電流センサ一体型ターミナル下部カバー５に関して補足すると、電流センサ一体型ターミナル下部カバー５は図３ないし図５に示す如くの形状に変形しても良いものとする（図３は電流センサ一体型ターミナル下部カバー５の第一の変形例、図４及び図５は第二の変形例である）。
【００４７】
図３において、電流センサ一体型ターミナル下部カバー５には、例えばバッテリー側下面２４から下方に突出するような回り止め部２９が形成されている。回り止め部２９は、バッテリー２の側面３０に当接してバッテリーポスト３を中心とする回動方向の移動を規制する機能を有している（配置が安定するという効果を奏する）。
【００４８】
図４及び図５において、電流センサ一体型ターミナル下部カバー５には、回り止め部２９の他に弾性を有するフック部３１が形成されている。フック部３１は、バッテリーターミナル本体４の曲面部分となる締め付け部８、８に引っ掛かるように略逆Ｊ字状となる形状に形成されている。フック部３１は、電流センサ一体型ターミナル下部カバー５のバッテリーターミナル本体４に対する組み付け状態を安定させる機能等を有している。
【００４９】
続いて、図６及び図７を参照しながら本発明のバッテリーターミナルの他の一実施の形態を説明する。図６は他の一実施の形態を示すバッテリー及びバッテリーターミナルの斜視図、図７は図６のバッテリーターミナルの分解斜視図である。
【００５０】
図６において、引用符号５１は本発明のバッテリーターミナルを示している。バッテリーターミナル５１は、特に限定するものではないが、自動車等の移動体に搭載されるバッテリー２のバッテリーポスト３に接続されるバッテリーターミナル本体５２と、このバッテリーターミナル本体５２の腐食を防止するための機能及びバッテリー２の残存容量を監視するための機能を有する電流センサ一体型ターミナル下部カバー５３とを備えて構成されている。以下、各構成部材について詳細に説明する。
【００５１】
図７において、上記バッテリーターミナル本体５２は、導電性を有する金属板を打ち抜いて折り曲げ加工を施すことにより製造されている。このようなバッテリーターミナル本体５２は、環状部５４と、一対の締め付け部５５、５６と、ケーブル接続部５７とを有している。また、バッテリーターミナル本体５２は、締め付けボルト５８（横締めボルト）と、この締め付けボルト５８に螺合するナット５９と、締め付けボルト５８に挿通されるワッシャ６０とを有している。
【００５２】
環状部５４は、バッテリーポスト３（図６参照。以下同様）に接続される部分であって、締め付け間隙６１を設けるためにこの一部が分断されたような形状に形成されている。すなわち、環状部５４は、平面視略Ｃ字状となる図示のような形状に形成されている。環状部５４の上縁及び下縁には、フランジ部６２がそれぞれ形成されている。下側のフランジ部６２には、複数のターミナル本体側係止部６３が形成されている。
【００５３】
ターミナル本体側係止部６３は、上記電流センサ一体型ターミナル下部カバー５３の後述するカバー側係止部７１に引っ掛かり合うことにより係止状態が形成される部分であって、本形態においては、図示の如くの三箇所に形成されている（数と配置は一例であるものとする）。ターミナル本体側係止部６３は、突起形状に形成されている（形状は一例であるものとする）。ターミナル本体側係止部６３は、後述するカバー側係止部７１と共に本発明のバッテリーターミナル１の特徴となる部分として形成されている。
【００５４】
一対の締め付け部５５、５６は、環状部５４の上記一部分断された部分に連続するように形成されている。一対の締め付け部５５、５６は、締め付け間隙６１を挟んで相対向するように配置形成されている。一対の締め付け部５５、５６には、締め付けボルト５８が貫通するようになっている。バッテリーターミナル本体５２は、一対の締め付け部５５、５６の間隔を締め付けボルト５８及びナット５９によって狭めると、環状部５４が縮径するような構造になっている。
【００５５】
一対の締め付け部５５、５６には、締め付けボルト５８が挿通される貫通孔（符号省略）と、環状部５４のフランジ部６２に連続する締め付け部側のフランジ部６４とが形成されている。締め付け部５６には、ケーブル接続部５７が連成されている。
【００５６】
ケーブル接続部５７は、ケーブル６５の端末を接続する部分であって、特に図示しないが、一対の導体加締め片を有している。ケーブル接続部５７は、締め付けボルト５８の頭部（図示省略）に対して干渉しないような位置に配置形成されている。
【００５７】
上記電流センサ一体型ターミナル下部カバー５３は、バッテリー２とバッテリーターミナル本体５２との間に介在する部材であって、上記の如く、バッテリーターミナル本体５２の腐食を防止するための機能（防食カバーとしての機能）と、バッテリー２の残存容量を監視するための機能（電流センサとしての機能）とを有している。
【００５８】
電流センサ一体型ターミナル下部カバー５３は、本発明のバッテリーターミナル５１の特徴となる構成部材であって、バッテリーターミナル本体５２の下部を覆うターミナル下部カバーに電流センサを一体化させたものとして形成されている。
【００５９】
上記防食カバーとしての機能を有する部分は、バッテリー液に対しての耐食性を持たせるために合成樹脂材によって成形されている。本形態においては、安価な材料でもあることから、ＰＰ（ポリプロピレン）によって成形されている（この限りでないものとする）。一方、上記電流センサとしての機能を有する部分は、図示しないコア及びホール素子を備えるセンサ本体（図示省略）と、このセンサ本体を収容するセンサケースと、コネクタ部２２とを有している。上記センサケースは、防食カバーとしての機能を有する部分によって兼用されている。
【００６０】
図示しないセンサ本体は、バッテリーポスト３からバッテリーターミナル本体５２に流れる電流の強弱に応じた磁束が上記コアに発生するとともに、この発生した磁束が上記ホール素子によって検出されるような構成になっている。ホール素子による検出結果は、コネクタ部２２を介してワイヤハーネス２３にて取り出せるようになっている。
【００６１】
防食カバーとしての機能を有する部分は、バッテリー２に対向する側の面となるバッテリー側下面６６と、バッテリーターミナル本体５２の下部を受ける面となるターミナル本体側上面６７と、これら二つの面を貫通するように形成されるとともにバッテリーポスト３の挿通が可能となる挿入穴６８と、二つの面の間となるカバー内部に配置形成されてセンサ本体（図示省略）を保持するセンサ保持部（図示省略）と、二つの面の縁部を繋ぐように形成されるカバー側面６９とを有している。センサ本体を保持するセンサ保持部は、挿入穴６８を囲むように配置形成されている。電流センサ一体型ターミナル下部カバー５３は、バッテリーターミナル本体５２の平面視形状に合わせて形成されている。
【００６２】
ターミナル本体側上面６６には、バッテリーターミナル本体５２における環状部５４の下側を囲むような壁部７０が形成されている。壁部７０は、カバー側面６９に連続するように配置形成されている。壁部７０には、複数のカバー側係止部７１が貫通形成されている。カバー側係止部７１は、バッテリーターミナル本体５２のターミナル本体側係止部６３の位置に合わせて配置形成されている。
【００６３】
ターミナル本体側上面６６には、締め付けボルト５８の頭部（図示省略）に対応する凹部７２と、締め付けボルト５８に螺合するナット５９に対応する凹部７３とが形成されている。
【００６４】
カバー側面６９には、コネクタ部２２が配置形成されている。コネクタ部２２は、ワイヤハーネス２３の引き出し方向に配慮するように配置されている。
【００６５】
電流センサ一体型ターミナル下部カバー５３は、バッテリーターミナル本体５２を確実にバッテリーポスト３に接続固定することができる厚みを有するように形成されている（センサ本体を薄型にすることで実現する）。
【００６６】
次に、上記構成に基づき、電流センサ一体型ターミナル下部カバー５３のバッテリーターミナル本体５２に対する組み付けの一例（バッテリーターミナル５１の組み付けの一例）を説明する。
【００６７】
バッテリーターミナル本体５２の下方から電流センサ一体型ターミナル下部カバー５３を上方へ移動させ（この逆も可）、電流センサ一体型ターミナル下部カバー５３のカバー側係止部７１と、バッテリーターミナル本体５２のターミナル本体側係止部６３とを引っ掛け合い係止状態を形成すると、バッテリーターミナル本体５２の下部が電流センサ一体型ターミナル下部カバー５３により覆われてバッテリーターミナル５１の組み付けが完了する。電流センサ一体型ターミナル下部カバー５３は、バッテリーターミナル本体５２の下部に対して密着するような状態に組み付けられる。
【００６８】
続いて、バッテリーターミナル５１のバッテリーポスト３に対する接続固定について説明する。
【００６９】
バッテリー２の位置でバッテリーターミナル５１を下方向に移動させると、バッテリーターミナル本体５２の環状部５４がバッテリーポスト３の周側面に接触する。この時、電流センサ一体型ターミナル下部カバー５３の挿入穴６８にバッテリーポスト３が挿通される。バッテリーターミナル５１の向きを所定方向に合わせて配置した後、バッテリーターミナル５１の横方向からインパクトレンチ等の図示しない工具を用いてナット５９を締め付けると、これによって環状部５４が縮径方向に縮んでバッテリーポスト３の周側面に対して圧接状態となる。これにより、バッテリーターミナル５１の接続固定が完了する。
【００７０】
以上、図６及び図７を参照しながら説明してきたように、本発明のバッテリーターミナル５１も電流センサ単体の組み付けを行うことはない。何故ならば、本発明では、電流センサをターミナル下部カバーに一体化した電流センサ一体型ターミナル下部カバー５３を構成に備えているからである。従って、バッテリー２を平面視した場合、この外側に電流センサの配置スペースを確保する必要がない。つまり、本発明によれば、電流センサを省スペースで配置することができるという効果を奏する。
【００７１】
この他、本発明のバッテリーターミナル５１によれば、電流センサ一体型ターミナル下部カバー５３を用いることから、従来よりも格段に電流センサの組み付け性を向上させることができるという効果を奏する。
【００７２】
また、本発明のバッテリーターミナル５１によれば、カバー側係止部７１及びターミナル本体側係止部６３を有することから、電流センサ一体型ターミナル下部カバー５３を後付けしたり、バッテリーターミナル本体５２や電流センサ一体型ターミナル下部カバー５３にバリエーションを持たせたりすることができるという効果を奏する。
【００７３】
また、本発明のバッテリーターミナル５１は、バッテリーターミナル本体５２から電流センサ一体型ターミナル下部カバー５３を取り外すことで、比較的容易に解体することができるという効果を奏する。
【００７４】
尚、電流センサ一体型ターミナル下部カバー５３は、図３に示す如くの回り止め部２９や図４に示す如くのフック部３１を一体に形成しても良いものとする。
【００７５】
本発明は本発明の主旨を変えない範囲で種々変更実施可能なことは勿論である。
【図面の簡単な説明】
【００７６】
【図１】本発明のバッテリーターミナルの一実施の形態を示すバッテリー及びバッテリーターミナルの斜視図である。
【図２】バッテリーターミナルの分解斜視図である。
【図３】電流センサ一体型ターミナル下部カバーの第一の変形例であり、（ａ）は側面図、（ｂ）は斜視図である。
【図４】電流センサ一体型ターミナル下部カバーの第二の変形例を示すバッテリーターミナルの斜視図である。
【図５】図４の電流センサ一体型ターミナル下部カバーの斜視図である。
【図６】本発明のバッテリーターミナルの他の一実施の形態を示すバッテリー及びバッテリーターミナルの斜視図である。
【図７】図６のバッテリーターミナルの分解斜視図である。
【符号の説明】
【００７７】
１  バッテリーターミナル
２  バッテリー
３  バッテリーポスト
４  バッテリーターミナル本体
５  電流センサ一体型ターミナル下部カバー
８  締め付け部
１４  締め付けボルト
１５  ナット
１７  ターミナル本体側係止部
１８、１９  バッテリーポスト挿入穴
２２  コネクタ部
２４  バッテリー側下面
２５  ターミナル本体側上面
２６  挿入穴
２７  カバー側面
２８  カバー側係止部
２９  回り止め部
３０  側面
３１  フック部
５１  バッテリーターミナル
５２  バッテリーターミナル本体
５３  電流センサ一体型ターミナル下部カバー
５４  環状部
５５、５６  環状部
５７  ケーブル接続部
５８  締め付けボルト
５９  ナット
６３  ターミナル本体側係止部
６６  バッテリー側下面
６７  ターミナル本体側上面
６８  挿入穴
６９  カバー側面
７１  カバー側係止部
【図１】
2010015842.tif 000003
【図２】
2010015842.tif 000004
【図３】
2010015842.tif 000005
【図４】
2010015842.tif 000006
【図５】
2010015842.tif 000007
【図６】
2010015842.tif 000008
【図７】
2010015842.tif 000009